(57)【要約】【課題】洗剤収容容器を引き出した時に、がたつきの無いようにする。【解決手段】洗剤を収納する洗剤収容容器６４と、洗剤収容容器６４を引き出し自在に収納する洗剤投入部枠体６７や、洗剤投入部枠体６７の上方に載設され洗剤収容容器６４に給水する給水路６５が配管された注水蓋体６６等で構成され、前部枠体４０に配設される洗剤投入部枠体ユニット１００とを備え、洗剤収容容器６４を引き出し時に、注水蓋体６６の下面部の前側に形成した前部角穴９０，９０‘に、洗剤収容容器６４の上面部に形成した弾性のある後部凸爪部８９，８９’が係合すると共に、洗剤投入部枠体６７の前面底部に形成した、一対のリブから成り、前後端は先端が広がるハ字状形状をしたリブ嵌合部９５の隙間９６に、洗剤収容容器６４の側面最後部下部に形成したがたつき防止リブ９４が嵌合することにより、がたつきを無くし品位を向上させることができる。【選択図】図１
2012075688.tif 000002
【特許請求の範囲】
【請求項１】
洗濯機本体と、前記筺体内に揺動自在に防振支持された水槽と、前記水槽に内包された回転ドラムと、前記洗濯機本体の前面に配設された前部枠体と、洗剤を収納する洗剤収容容器と、前記洗剤収容容器を引き出し自在に収納する洗剤投入部枠体とを備え、前記洗剤収容容器を引き出した時に、前記洗剤投入部枠体の前面底部に形成した一対のリブから成るリブ嵌合部の隙間に、前記洗剤収容容器の側面後下部に形成したがたつき防止リブが嵌合する構成としたドラム式洗濯機。
【発明の詳細な説明】
【技術分野】
【０００１】
本発明は、略水平方向または傾斜方向の回転軸を中心に回転自在に配設した回転ドラム内で洗濯物を洗い、すすぎ、脱水、乾燥するドラム式洗濯機に関するものである。
【背景技術】
【０００２】
従来、この種の洗濯機は、洗剤を投入する洗剤ケースを備え、運転開始に先立ち前記洗剤ケース内に洗剤や，仕上剤等を予め投入しておく構成がとられてきた（例えば、特許文献１参照）。
【０００３】
図６は、特許文献１に記載された従来の洗濯機の外観図、図７は、同洗濯機の洗剤ケース部の部分分解斜視図である。
【０００４】
図６に示すように、洗濯機本体１の前部枠体２の上部には、洗剤ケース５が配置され、洗剤ケース５を引き出し自在に収容する洗剤ケース収容容器６は、前部枠体２の裏面内方に取り付けられている。
【０００５】
図７において、前部枠体２に形成した開口扉７に、洗剤ケース収容容器６の洗剤ケース挿入開口８を対応させると共に、開口扉７下面に凸状に内方に向けて一体成形したガイドリブ９とリブ１０にそれぞれ嵌合挿入する嵌合孔１１と嵌合孔１２とを洗剤ケース収容容器６に設ける。
【０００６】
洗剤ケース収容容器６を、前部枠体２の内部に取り付ける時は、洗剤ケース収容容器６の嵌合孔１１と嵌合孔１２に、前部枠体２のガイドリブ９とリブ１０を挿入嵌合させ、左右および上下へ位置ずれするのを防止しつつ、前部枠体２の前方よりねじ１３にて前部枠体２のビス挿入孔１４を介して洗剤収容容器６のボス部１５に固着して、前後に位置ずれの無い構成としている。そして、この前部枠体２と洗剤ケース収容容器６の位置ずれ防止構成により、前部枠体２と洗剤ケース５との位置ずれを防止できる。
【先行技術文献】
【特許文献】
【０００７】
【特許文献１】特開２０１０−０３５７４７号公報
【発明の概要】
【発明が解決しようとする課題】
【０００８】
しかしながら、前記従来の構成では、前部枠体２と洗剤ケース収容容器６の位置ずれを防止することにより、洗剤ケース５を洗剤ケース収容容器６に押し込んだ状態で、洗濯機表面側で前部枠体２と洗剤ケース５との位置ずれを防止することができても、洗剤ケース５を引き出した状態では、洗剤ケース５と洗剤ケース収容容器６とががたついて、品位を損なうという課題を有していた。
【０００９】
本発明は、前記従来の課題を解決するもので、洗剤ケースを引き出した状態で、洗剤ケースが洗剤ケース収容容器に対してがたつかないようにして、品位を向上させることを目的としている。
【課題を解決するための手段】
【００１０】
上記目的を達成するために本発明のドラム式洗濯機は、洗濯機本体と、前記筺体内に揺動自在に防振支持された水槽と、前記水槽に内包された回転ドラムと、前記洗濯機本体の前面に配設された前部枠体と、洗剤を収納する洗剤収容容器と、前記洗剤収容容器を引き出し自在に収納する洗剤投入部枠体とを備え、前記洗剤収容容器を引き出した時に、前記洗剤投入部枠体の前面底部に形成した一対のリブから成るリブ嵌合部の隙間に、前記洗剤収容容器の側面後下部に形成したがたつき防止リブが嵌合する構成としたものである。
【００１１】
これにより、洗剤収容容器（洗剤ケース）を引き出した時に、洗剤投入部枠体ユニット（洗剤ケース収容容器）に対してがたつきにくいために、洗剤などが入れやすいと共に、品位を向上させることができる。
【発明の効果】
【００１２】
本発明のドラム式洗濯機は、洗剤収容容器を引き出した時に、洗剤収容容器が洗剤投入部枠体ユニットに対して、がたつきにくい状態で保持されるため、洗剤などが入れやすいと共に、品位を向上させることができる。
【図面の簡単な説明】
【００１３】
【図１】本発明の実施の形態におけるドラム式洗濯機の縦断面図
【図２】同ドラム式洗濯機の外観斜視図
【図３】同ドラム式洗濯機の洗剤収容容器部の斜視図
【図４】同ドラム式洗濯機の洗剤収容容器の後部の断面斜視図
【図５】同ドラム式洗濯機の洗剤投入部枠体部の斜視図
【図６】従来の洗濯機の外観図
【図７】同洗濯機の洗剤ケース部の部分分解斜視図
【発明を実施するための形態】
【００１４】
第１の発明は、洗濯機本体と、前記筺体内に揺動自在に防振支持された水槽と、前記水槽に内包された回転ドラムと、前記洗濯機本体の前面に配設された前部枠体と、洗剤を収納する洗剤収容容器と、前記洗剤収容容器を引き出し自在に収納する洗剤投入部枠体とを備え、前記洗剤収容容器を引き出した時に、前記洗剤投入部枠体の前面底部に形成した一対のリブから成るリブ嵌合部の隙間に、前記洗剤収容容器の側面後下部に形成したがたつき防止リブが嵌合する構成としたことにより、洗剤収容容器を引き出した時に、洗剤収容容器が洗剤投入部枠体ユニットに対して、がたつきにくい状態で保持することができるので、洗剤などが入れやすいと共に、品位を向上させることができる。
【００１５】
以下、本発明の実施の形態について、図面を参照しながら説明する。なお、この実施の形態によって本発明が限定されるものではない。
【００１６】
（実施の形態１）
図１は、本発明の実施の形態におけるドラム式洗濯乾燥機の概略構成を示す縦断面図であり、図２は、同ドラム式洗濯乾燥機の外観斜視図を示すものである。
【００１７】
図１、図２において、回転ドラム４１は、有底円筒形に形成され、外周部に多数の通水孔４２が全面に設けられ、洗濯機本体４３内に揺動自在に支持された水槽４４内に回転自在に配設されている。
【００１８】
回転ドラム４１の回転中心に傾斜方向に回転軸（回転中心軸）４５が設けられ、回転ドラム４１の軸心方向は正面側から背面側に向けて下向きに傾斜させている。この回転軸４５に、大プーリ４６、ベルト４７、小プーリ４８を介して、水槽４４の背面側近傍に取り付けたモータ４９を連結し、回転ドラム４１を正転、逆転方向に回転駆動する。回転ドラム４１の傾斜角度は  たとえば１０度とする。
【００１９】
また、回転ドラム４１の内壁面には衣類撹拌用の複数個の突起板５０を設けており、回転ドラム４１を低速で回転させることにより、衣類を突起板で引っ掛けて上方に持ち上げた後、適当な高さで落下させるといった撹拌動作（タンブリング動作）を与えることにより、衣類の撹拌たたき洗い、および乾燥動作などを行なう。
【００２０】
上記の、回転ドラム４１、水槽４４、モータ４９等により、振動系の水槽ユニット５１が構成されている。
【００２１】
水槽４４の正面側で、洗濯機本体４３の前面側に設けた前部枠体４０の上向き傾斜面に設けた円形状の開口部を、円形状の扉体５２により開閉自在に覆い、この扉体５２を開くことにより、衣類出入口５３を通して回転ドラム４１内に洗濯物を出し入れできるようにしている。
【００２２】
また、水槽ユニット５１は、洗濯機本体４３下方の防振部材５４および上方のばね体（図示せず）により揺動自在に防振支持され、水槽４４の下部には排水経路５６の一端を接続し、排水経路５６の他端を排水弁（排水手段）５７に接続して、水槽４４内の洗濯水を外部に排水する。
【００２３】
また、洗濯機本体４３の上部には、洗濯機本体４３を覆う天板６２が配設されており、その内方に、制御装置６３が配設されている。また、洗濯機本体４３の前面で前部枠体４０の上部には、洗濯機本体４３と略同一横幅の操作パネル５９が配設されており、操作パネル５９には、入力設定手段８６および表示手段８７が設けられている。
【００２４】
制御装置６３は、使用者が入力設定手段８６により入力し設定した内容に基づいて、表示手段８７に設定内容を表示して、使用者に知らせる。そして、制御装置６３は、運転開始が設定されると、水槽４４内の水位を検知する水位検知手段（図示せず）等からのデータを入力して、モータ４９、排水弁５７、給水弁５８などの動作を制御し、洗い、すすぎ、脱水、乾燥行程などの各行程を制御する。
【００２５】
洗濯機本体４３の前面で前部枠体４０の上部に設けられた操作パネル５９の左下部で、操作パネル５９と扉体５２との間には、前後が長手方向の洗剤投入部６０が配設されており、前部枠体４０に形成した略角穴（図示せず）に対応させると共に洗剤を収容する洗剤収容容器６４と、給水弁５８に接続されて洗剤収容容器６４に給水する給水路６５に配管された注水蓋体６６と、洗剤収容容器６４が収納された洗剤投入部枠体６７などで構成されている。
【００２６】
前記洗剤投入部枠体６７は、上方に開口を有する有底の断面略コ字状箱体であり、前記注水蓋体６６の下方に配設されており、この注水蓋体６６との間に形成された空間部６８に前記洗剤収容容器６４が収納され、洗濯機本体４３の前方より、引き出し自在となっている。
【００２７】
また、注水蓋体６６には、洗剤収容容器６４に給水する水の通水路となる通水空間部（図示せず）と、その底面に多数の小孔を形成した注水口（図示せず）とが形成されており、この注水口を介して洗剤収容容器６４に給水された水が、洗剤収容容器６４に収容された洗剤等（粉末合成洗剤、液体洗剤、液体仕上剤など）と混合され、洗剤投入部枠体６７の底部に形成された洗剤液供給路７０から水槽給水経路６９を経由して、水槽４４内に供給される。
【００２８】
これら洗剤投入部枠体６７、注水蓋体６６などで、洗剤投入部枠体ユニットを構成している。
【００２９】
図３は、本発明の実施の形態におけるドラム式洗濯機の洗剤収容容器部の斜視図、図４は、洗剤収容容器部の後部の断面斜視図を示すものである。
【００３０】
図３、図４において、洗剤収容容器６４は、収容容器本体７１、取っ手枠体７２、取っ手カバー７３および収容部蓋体７４から構成されている。
【００３１】
収容容器本体７１には、長手方向の最後部側に粉末洗剤を投入する粉末洗剤収容部７５が、その前側に液体洗剤を投入する液体洗剤収容部７６が、そして最前部に液体仕上剤を投入する液体仕上剤収容部７７が形成されており、液体仕上剤収容部７７に対向する位置には、液体仕上剤を投入する液体仕上剤受入口７８が開口された前記収容部蓋体７４が、液体仕上剤収容部７７の上方を覆っている。
【００３２】
液体仕上剤収容部７７の底部には、筒状の液体仕上剤投入口７９が上方に向けて立設されていると共に、収容部蓋体７４には、液体仕上剤投入口７９を外方より覆い、下端が液体仕上剤収容部７７の底部に達する円筒形状の筒状突出部８０が下方に向けて立設されており、その筒状突出部８０の下端部には、その側面が略コ字状に切り欠かれた流水口（図示せず）が形成されている。そして、液体仕上剤収容部７７に投入された液体仕上剤は、すすぎ行程時に、注水蓋体６６から供給された水とともに、サイフォン現象により、液体仕上剤投入路（図示せず）を経由して洗剤投入部枠体６７の洗剤液供給路７０へ流れ、水槽給水経路６９を経由して、水槽４４内に供給される。
【００３３】
液体洗剤収容部７６の角隅部には、液体洗剤流出口８１が形成されており、液体洗剤収容部７６の底面部は、液体洗剤流出口８１に向かって傾斜している。そして、液体洗剤収容部７６に投入された液体洗剤は、洗い行程初期に、注水蓋体６６から供給された水とともに、液体洗剤流出口８１から液体洗剤投入路（図示せず）を経由して洗剤投入部枠体６７の洗剤液供給路７０へ流れ、水槽給水経路６９を経由して、水槽４４内に供給される。
【００３４】
粉末洗剤収容部７５には、粉末洗剤が投入された際にこぼれ出ないように、洗剤落下防止板８２を粉末洗剤投入路８３との間に設け、粉末洗剤が洗剤投入部枠体６７へ落下するのを防止するとともに、給水時には、注水蓋体６６から供給された水とともに洗剤液として洗剤落下防止板８２と粉末洗剤収容部７５との間に形成した流出溝８４より粉末洗剤投入路８３へ流出し、洗剤投入部枠体６７の洗剤液供給路７０へ流れ、水槽給水経路６９を経由して、水槽４４内に供給される。
【００３５】
また、取っ手カバー７３は、上面部を軸部にして取っ手枠体７２と嵌合しており、上面部のカバー軸（図示せず）を中心に回動し、下面部が開閉自在になっており、取っ手カバー７３を奥側に押して開き、手を差し込んで洗剤収容容器６４を出し入れできるようになっている。
【００３６】
また、洗剤収容容器６４の収容容器本体７１の左右部上面８５，８５‘には、複数の弾性のある前部凸爪部８８、８８‘と後部凸爪部８９、８９’が形成されており、洗剤収容容器６４の押し込み時および引き出し時に、洗剤投入部枠体６７に形成された前部角穴９０、９０‘と後部角穴９１，９１’（図５で後述）に係合するようになっている。
【００３７】
また、洗剤収容容器６４の収容容器本体７１の、上部左右にそれぞれ形成した断面略コ字状の本体側面部９２、９２‘、および、本体下面部９３、９３’が、洗剤収容容器６４の押し込み時および引き出し時に、洗剤投入部枠体ユニット１００と摺動するようになっている（図５で後述）。
【００３８】
さらに、洗剤収容容器６４の収容容器本体７１の側面最後部下部には、下方に向けてがたつき防止リブ９４が形成されており、洗剤収容容器６４を引き出した時に、洗剤投入部枠体６７のリブ嵌合部９５（図５で後述）と嵌合して、がたつきを防止するようになっている。
【００３９】
図５は、本発明の実施の形態におけるドラム式洗濯機の洗剤投入部枠体ユニットの斜視図を示すものである。
【００４０】
図５において、前述のように、洗剤収容容器６４を収納する、上方に開口を有する有底の断面略コ字状箱体に形成された洗剤投入部枠体６７の上部には、給水弁５８に接続されて洗剤収容容器６４に給水する給水路６５に配管された注水蓋体６６などが配設されて、洗剤投入部枠体ユニット１００を構成している。
【００４１】
注水蓋体６６の下面部には、前部角穴９０、９０‘と後部角穴９１，９１’が形成され、洗剤収容容器６４を押し込んで収納した時には、この前部角穴９０、９０‘と後部角穴９１，９１’が、前述の洗剤収容容器６４の左右部上面に形成した弾性のある前部凸爪部８８、８８‘と後部凸爪部８９、８９’にそれぞれ係合して、保持されるようになっている。そして、洗剤収容容器６４を引き出した時には、前部角穴９０、９０‘に後部凸爪部８９、８９’が係合するようになっている。
【００４２】
また、洗剤投入部枠体６７の前面底部には、一対のリブから成るリブ嵌合部９５が形成されている。このリブ嵌合部９５の前端、後端は、先端が広がるハ字状形状をしており、洗剤収容容器６４を引き出した時に、この一対のリブの間に形成された隙間９６に、図４にて前述の洗剤収容容器６４のがたつき防止リブ９４が嵌合する。
【００４３】
つまり、洗剤収容容器６４を引き出した時には、注水蓋体６６の前部角穴９０、９０‘と、洗剤収容容器６４の後部凸爪部８９、８９’が係合すると共に、洗剤投入部枠体６７の一対のリブから成るリブ嵌合部９５と、洗剤収容容器６４のがたつき防止リブ９４が嵌合することにより、洗剤収容容器６４のがたつきを防止している。
【００４４】
そして、リブ嵌合部９５の前端、後端は、先端が広がるハ字状形状をしているために、洗剤収容容器６４を引き出す時に、がたつき防止リブ９４がリブ嵌合部９５に引っかかることもなく、洗剤収容容器６４を洗剤投入部枠体ユニット１００に装着する時も装着しやすい。
【００４５】
また、洗剤収容容器６４の押し込み時および引き出し時に、洗剤投入部枠体６７と注水蓋体６６で形成される段部９７、９７‘を、前述の洗剤収容容器６４の本体側面部９２、９２‘および本体下面部９３、９３’が摺動することにより、スムーズに動くことができる。
【００４６】
以上のように、本実施の形態においては、洗剤収容容器を引き出した時に、洗剤収容容器が洗剤投入部枠体ユニットに対して、がたつき無く保持することができるので、洗剤などが入れやすいと共に、品位を向上させることができる。
【産業上の利用可能性】
【００４７】
以上のように、本発明にかかるドラム式洗濯機は、洗剤収容容器（洗剤ケース）と洗剤投入部枠体ユニット（洗剤ケース収容容器）の簡単な構造により、洗剤収容容器を引き出した時に、洗剤収容容器（洗剤ケース）が洗剤投入部枠体ユニット（洗剤ケース収容容器）に対して、がたつき無く保持することが可能となるので、洗剤ケースを備えた他の洗濯機の用途に適用できる。
【符号の説明】
【００４８】
４０  前部枠体
４１  回転ドラム
４３  洗濯機本体
４４  水槽
６４  洗剤収容容器
６５  給水路
６６  注水蓋体
６７  洗剤投入部枠体
８９、８９’  後部凸爪部
９０、９０‘  前部角穴
９４  がたつき防止リブ
９５  リブ嵌合部
９６  隙間
１００  洗剤投入部枠体ユニット
【図１】
2012075688.tif 000003
【図２】
2012075688.tif 000004
【図３】
2012075688.tif 000005
【図４】
2012075688.tif 000006
【図５】
2012075688.tif 000007
【図６】
2012075688.tif 000008
【図７】
2012075688.tif 000009